(57)【要約】【課題】補修後に支柱の孔を完全に塞ぐことなく孔を通した支柱内部への雨水等の浸入を防ぐための安価な部材及び簡易的な補修方法が望まれている。【解決手段】本発明は、排水のために支柱２に開けられた孔を覆うための支柱孔用キャップ１であって、平坦な薄板形状の本体５と、本体５の一方の面から突出する挿入体６と、本体の一方の面上において、挿入体６の周囲を部分的に囲むように配置されるスペーサ（４、７）とを備えた、支柱孔用キャップ１を提供する。【選択図】図２
2014095177.tif 000002
【特許請求の範囲】
【請求項１】
排水のために支柱に開けられた孔を覆うための支柱孔用キャップであって、
平坦な薄板形状の本体と、
該本体の一方の面から突出する挿入体と、
前記本体の前記一方の面上において、前記挿入体の周囲を部分的に囲むように配置されるスペーサと
を備えた、支柱孔用キャップ。
【請求項２】
前記スペーサがリブを含む、請求項１に記載の支柱孔用キャップ。
【請求項３】
前記リブが前記本体の前記一方の面の外周部に設けられる、請求項２に記載の支柱孔用キャップ。
【請求項４】
前記本体が円板形状であり、前記リブが前記本体の前記一方の面の外周部において１８０°以上３００°以下に亘って延在する、請求項３に記載の支柱孔用キャップ。
【請求項５】
前記挿入体は、突出する方向に対して垂直な方向の断面が十字形状である、請求項１〜４のいずれか１項に記載の支柱孔用キャップ。
【請求項６】
前記本体が円板形状であり、前記リブが前記本体の前記一方の面の外周部において２７０°に亘って延在し、前記挿入体は、突出する方向に対して垂直な方向の断面が十字形状であり、前記リブの中間部の位置は、前記挿入体の十字を形成する二つの直線部分を径方向に延長した仮想線が前記本体の前記一方の面の外周部と交わる四つの位置の内のいずれか一つの位置に一致する、請求項３に記載の支柱孔用キャップ。
【請求項７】
当該支柱孔用キャップの材料がＡＥＳ樹脂である、請求項１〜６のいずれか１項に記載の支柱孔用キャップ。
【請求項８】
前記挿入体が前記本体の前記一方の面の中央から突出する、請求項１〜７のいずれか１項に記載の支柱孔用キャップ。
【請求項９】
中空の内部に水を含む支柱の側面に孔を開ける工程と、
該孔から前記支柱の外側に前記水を排出する工程と、
前記支柱の内部に前記孔を通して該孔の高さまで充填剤を注入する工程と、
請求項１に記載の支柱孔用キャップを前記孔に装着する工程であって、前記本体の前記一方の面の前記スペーサが配置されない部分が前記孔の下に位置するように前記挿入体を前記孔に挿入する工程と
を含む、支柱の補修方法。
【請求項１０】
中空の内部に水を含む支柱の側面に孔を開ける工程と、
該孔から前記支柱の外側に前記水を排出する工程と、
前記支柱の内部に前記孔を通して該孔の高さまで充填剤を注入する工程と、
請求項２〜４、６のいずれか１項に記載の支柱孔用キャップにテープの一方の面を前記リブに沿って貼り付ける工程と、
前記支柱孔用キャップを前記孔に装着する工程であって、前記本体の前記一方の面の前記リブ及びテープが配置されない部分が前記孔の下に位置するように前記挿入体を前記孔に挿入する工程と
を含む、支柱の補修方法。
【請求項１１】
前記充填剤を注入する工程が前記水を排出する工程を含む、請求項９又は１０に記載の支柱の補修方法。
【発明の詳細な説明】
【技術分野】
【０００１】
本発明は、排水のために支柱に開けられた孔を覆うための支柱孔用キャップ及び支柱の補修方法に関する。
【背景技術】
【０００２】
建物の外部（例えばマンション等のベランダ）には、外の景色を完全に遮ることなく人が転落することを防ぐために、手摺が設けられることが多い。手摺は、一般的には、縦及び横方向に延在する鉄又はアルミニウム製の支柱を組み合わせて構築される。
【０００３】
特にアルミニウム製の支柱の場合、長年の使用により支柱の上部から支柱の内部に雨水が浸入し、支柱の下部に雨水が滞留することが多い。このことは手摺自体若しくはベランダ軒天井の腐食又は漏水等の原因となっている。
【０００４】
このため、特許文献１及び２に記載のように、支柱の補修が従来から施工されてきた。この補修方法では、支柱の側面に孔が開けられ、この孔から支柱内部の水が排水される。排水はポンプによって行われ又は孔から充填剤を支柱内部に注入することによって行われる。排水がポンプによって行われる場合も、排水後に充填剤が孔から支柱内部に注入される。典型的には、支柱に開けられた孔は排水後もそのまま放置される。
【先行技術文献】
【特許文献】
【０００５】
【特許文献１】特開２００５−２１３７４０号公報
【特許文献２】特開２０１０−１３３１６６号公報
【発明の概要】
【発明が解決しようとする課題】
【０００６】
しかしながら、支柱に孔が開けられた状態では、補修後に支柱内部の充填剤の上に新たに浸入した水が重力及び風によって孔を通して支柱の外側に排水されるが、一方で、雨水等が孔を通して支柱の外側から支柱内部に入りうる。このことによって、補修後にも雨水等が支柱内部に滞留する状況が多く発生し、ひいては手摺自体若しくはベランダ軒天井の腐食又は漏水等が引き起こされる。
【０００７】
一方、補修後に孔を完全に塞ぐと、補修後に支柱内部に新たに浸入した水が排水されず、且つ湿気が支柱内部に籠もることとなり、ひいては補修前と同様に手摺自体若しくはベランダ軒天井の腐食又は漏水等が引き起こされる。
【０００８】
したがって、補修後に支柱の孔を完全に塞ぐことなく孔を通した支柱内部への雨水等の浸入を防ぐための安価な部材及び簡易的な補修方法が望まれている。
【課題を解決するための手段】
【０００９】
本発明の第１態様では、排水のために支柱に開けられた孔を覆うための支柱孔用キャップであって、平坦な薄板形状の本体と、本体の一方の面から突出する挿入体と、本体の一方の面上において、挿入体の周囲を部分的に囲むように配置されるスペーサとを備えた、支柱孔用キャップが提供される。
【００１０】
本発明の第２態様では、スペーサはリブを含む。
【００１１】
本発明の第３態様では、リブは本体の一方の面の外周部に設けられる。
【００１２】
本発明の第４態様では、本体は円板形状であり、リブは本体の一方の面の外周部において１８０°以上３００°以下に亘って延在する。
【００１３】
本発明の第５態様では、挿入体は、突出する方向に対して垂直な方向の断面が十字形状である。
【００１４】
本発明の第６態様では、本体は円板形状であり、リブは本体の一方の面の外周部において２７０°に亘って延在し、挿入体は、突出する方向に対して垂直な方向の断面が十字形状であり、リブの中間部の位置は、挿入体の十字を形成する二つの直線部分を径方向に延長した仮想線が本体の一方の面の外周部と交わる四つの位置の内のいずれか一つの位置に一致する。
【００１５】
本発明の第７態様では、支柱孔用キャップの材料がＡＥＳ樹脂である。
【００１６】
本発明の第８態様では、挿入体は本体の一方の面の中央から突出する。
【００１７】
本発明の第９態様では、中空の内部に水を含む支柱の側面に孔を開ける工程と、孔から支柱の外側に水を排出する工程と、支柱の内部に孔を通して孔の高さまで充填剤を注入する工程と、本発明の第１態様の支柱孔用キャップを孔に装着する工程であって、本体の一方の面のスペーサが配置されない部分が孔の下に位置するように挿入体を孔に挿入する工程とを含む、支柱の補修方法が提供される。
【００１８】
本発明の第１０態様では、中空の内部に水を含む支柱の側面に孔を開ける工程と、孔から支柱の外側に水を排出する工程と、支柱の内部に孔を通して孔の高さまで充填剤を注入する工程と、本発明の第２態様〜第４態様及び第６態様の支柱孔用キャップにテープの一方の面をリブに沿って貼り付ける工程と、支柱孔用キャップを孔に装着する工程であって、本体の一方の面のリブ及びテープが配置されない部分が孔の下に位置するように挿入体を孔に挿入する工程とを含む、支柱の補修方法が提供される。
【００１９】
本発明の第１１態様では、充填剤を注入する工程が水を排出する工程を含む。
【発明の効果】
【００２０】
本発明によれば、安価な部材を用いた簡易的な方法で、補修後に支柱の孔を完全に塞ぐことなく孔を通した支柱内部への雨水等の浸入を防ぐことができる。
【図面の簡単な説明】
【００２１】
【図１】図１は、充填剤が支柱内部に注入された後に、本発明に係る支柱孔用キャップが支柱の孔に装着された支柱の概略断面図である。
【図２】図２は、本発明に係る支柱孔用キャップの斜視図である。
【図３】図３は、本発明に係る支柱孔用キャップの斜視図である。
【発明を実施するための形態】
【００２２】
以下、添付図面を参照して本発明の実施形態を説明する。
【００２３】
図１は、充填剤３が支柱２内部に注入された後に、本発明に係る支柱孔用キャップ１が支柱２の孔に装着された支柱２の概略断面図である。支柱孔用キャップ１は、支柱２の孔を覆うように孔に装着される。
【００２４】
図２、３は、本発明に係る支柱孔用キャップ１の斜視図を示す。支柱孔用キャップ１は本体５と挿入体６とリブ７とを備える。本体５は平坦な薄板形状である。支柱孔用キャップ１の装着後に支柱２の外側に位置する本体５が平坦な薄板形状であるので、装着後、支柱孔用キャップ１が物又は人に干渉する危険性が少なく、且つマンションの住民等（特に子供）は容易に支柱孔用キャップ１を把持することができない。このことによって、装着後に支柱孔用キャップ１が支柱２から取り外される危険性が低減される。また、本体５が平坦な薄板形状であることは、装着された支柱孔用キャップ１を目立たなくさせるので、美観の観点からも有利である。本体５の厚さは５ｍｍ以下であることが望ましい。本体５の形状は、本実施形態では円板であるが、孔を覆うのに十分な面積さえ有すれば、多角形板等、いかなる形状であってもよい。
【００２５】
挿入体６は、本体５の一方の面である第１の面８から突出する。挿入体６は支柱孔用キャップ１の装着時に支柱２の孔に挿入される。挿入体６は装着時の位置決めガイドとしての役割を果たし、このことによって、作業者は支柱孔用キャップ１を孔に対して適切な位置に装着することができる。また、挿入体６は第１の面８の略中央から突出することが望ましい。このことによって、孔の周りを支柱孔用キャップ１で一様に覆うことができる。
【００２６】
挿入体６は、突出する方向に対して垂直な方向の断面が十字形状である。十字を形成する二つの直線部分の長さは、支柱２に開けられる孔の直径（約１０ｍｍ）よりも僅かに短い。このため、支柱孔用キャップ１の孔に対する位置ずれを最小にしつつ、挿入体６を孔に引っ掛けることなく容易に挿入することができる。挿入体６が孔に挿入されると、挿入体６と孔との間には扇形の四つの空洞部が形成される。この四つの空洞部を通して、補修後に支柱２内部の充填剤３の上に新たに滞留する水が排水され、且つ支柱２の内外が通気される。なお、挿入体６は、突出する方向に対して垂直な方向の断面が、一字形状、又は孔の直径よりも僅かに小さい直径を有する円に内接する多角形等であってもよい。また、挿入体６の挿入を容易にすべく、挿入体６は、突出する方向に向かって先端部が先細になっていてもよい。
【００２７】
リブ７は、第１の面８の外周部において、挿入体６の周囲を部分的に囲むように配置される。支柱孔用キャップ１の装着後、リブ７に囲まれた部分には、雨水等が浸入することができない。一方、リブ７は支柱２の側面と本体５とを離間させるスペーサとしても作用し、リブ７が配置されない部分では、リブ７の厚さに等しい隙間が支柱２の側面と本体５との間に形成されるので、この隙間を通して、支柱２内部の充填剤３の上に新たに滞留した水が支柱２の外側に排水され、且つ支柱２の内外が通気される。リブ７が本体５の外周部において配置されるので、支柱の孔から遠い位置において雨水の浸入が防がれ、且つ、支柱２の側面と本体５とリブ７との間に画成される広い空間を通して支柱２の内外が通気される。
【００２８】
最も好ましくは、図２において示されるように、リブ７は第１の面８の外周部において２７０°に亘って延在する。このとき、リブ７の中間部の位置は、挿入体６の十字を形成する二つの直線部分を径方向に延長した仮想線が第１の面８の外周部と交わる四つの位置の内のいずれか一つの位置に一致する。なお、リブ７は、支柱２の孔の周囲を半周以上覆うように、第１の面８の外周部において１８０°以上３００°以下に亘って延在してもよい。また、リブ７は、第１の面８において、挿入体６の周囲を部分的に囲んでいれば、外周部以外の位置に配置されてもよい。
【００２９】
支柱孔用キャップ１の装着時に、挿入体６は、第１の面８のリブ７が配置されない部分９が支柱２の孔の下に位置するように孔に挿入される。この結果、孔の周囲の上側半周以上がリブ７によって覆われるので、雨水等が少なくとも上側から支柱２内部に浸入することが防がれる。一方、支柱２内部の充填剤３の上に新たに滞留した水は、重力及び風によって、孔と挿入体６との間の四つの扇形の空洞部から第１の面８のリブ７が配置されない部分９を通って支柱２の外側へ排水される。また、孔と挿入体６との間の四つの扇形の空洞部と、第１の面８のリブ７が配置されない部分９とを通して、支柱２の内外が通気される。
【００３０】
支柱孔用キャップ１が装着後に支柱２から取り外される危険性をより一層低減するために、支柱孔用キャップ１は、テープ４を用いて支柱２の側面に固定されてもよい。テープ４は片面テープ又は両面テープである。この場合、リブ７は、テープ４の一方の面を第１の面８に貼り付ける際のガイドとして作用する。テープ４は、リブ７の曲線に適合した形状を有し、リブ７に沿ってリブ７の内側の位置で本体５に貼り付けられる。このことによって、本体５に対するテープ４の貼りずれが低減される。また、作業者は、テープ４の貼り付け位置を迷うことなくテープ４を本体５に迅速に貼り付けることができる。なお、テープ４はリブ７に沿ってリブ７の上面に貼り付けられてもよい。また、テープ４として片面テープを用いて片面テープの非粘着面を第１の面８又はリブ７に貼り付ける場合、接着材を用いることができる。なお、片面テープの非粘着面を支柱２の側面に接着材を用いて貼り付けてもよい。
【００３１】
リブ７が、第１の面８において、挿入体６の周囲を部分的に囲むように外周部以外の位置に配置される場合、テープ４はリブ７に沿ってリブ７の内側若しくは外側の位置で本体５に貼り付けられ又はリブ７の上面に貼り付けられる。なお、テープ４を使用する場合、支柱孔用キャップ１はリブ７を備えなくてもよい。この場合も、テープ４は、挿入体６の周囲を部分的に囲むように第１の面８に貼り付けられる。
【００３２】
リブ７は、支柱孔用キャップ１の装着時にテープ４がリブ７よりも先に支柱２の側面に接触するように、テープ４よりも厚みが薄くなるように形成される。このため、支柱孔用キャップ１の装着時に、テープ４は支柱２の側面に確実に接着されるようになる。
【００３３】
テープ４は、アクリルフォーム及びアクリル系粘着剤から成り、耐久性及び耐熱性に優れるので屋外での長期の使用に適する。また、テープ４は水を通さない。このため、支柱孔用キャップ１の装着後、テープ４に囲まれた部分には、リブ７に囲まれた部分と同様に、雨水等が浸入することができない。また、テープ４を使用する場合、テープ４がリブ７の代わりに支柱２の側面と本体５とを離間させるスペーサとして作用し、テープ４が配置されない部分では、テープ４の厚さに等しい隙間が支柱２の側面と本体５との間に形成されるので、この隙間を通して、支柱２内部の充填剤３の上に新たに滞留した水が支柱２の外側に排水され、且つ支柱２の内外が通気される。
【００３４】
支柱孔用キャップ１は、金型を用いた射出成形によって製造される。支柱孔用キャップ１の材料は、例えば、ＡＥＳ樹脂、ＡＢＳ樹脂、ナイロン、ＰＶＣ（ポリ塩化ビニル）、ＰＰＳ（ポリフェニレンサルファイド）、ｍ−ＰＰＥ（変性ポリフェニレンエーテル）ＡＳ樹脂、ＰＡ（ポリアミド）、ＰＢＴ（ポリブチレンテレフタレート）、ＰＣ（ポリカーボネート）、ＰＥ（ポリエチレン）、ＰＥＴ（ポリエチレンテレフタレート）、ＰＭＭＡ（アクリル）、ＰＯＭ（ポリアセタール）、ＰＰ（ポリプロピレン）、ＰＳ（ポリスチレン）、又は液晶ポリマーである。これら材料をそのまま使用してもよいが、支柱孔用キャップ１の耐久性、耐候性及び美観を高めるべく、これら材料を塗装してもよい。これら材料の内、最も好ましい材料はＡＥＳ樹脂である。ＡＥＳ樹脂は、耐候性が高いので、メッキ及び塗装を必要とすることなく屋外での長期使用に耐えることができる。このため、支柱孔用キャップ１の色を例えば支柱２の色に合わせたいとき、樹脂自体を着色することができるので、支柱孔用キャップ１を安価に製造することができる。
【００３５】
以下、図１を再び参照して支柱２の補修方法について詳細に説明する。
【００３６】
最初に、ドリル等によって、中空の内部に水を含む支柱２の側面に円形状の孔が開けられる。孔の直径は、約１０ｍｍであり、支柱孔用キャップ１の挿入体６の外形よりも僅かに大きい。補修後に孔を覆わない従来技術の場合、孔が目立つことと補修後に雨水等が支柱２内部に入ることとを低減すべく、典型的には孔の直径は約５〜７ｍｍである。本実施形態では、補修後に孔を覆うので上記問題点が生じない。そこで、充填剤３の注入作業及び注入量の目視管理を容易にすべく、孔の直径を約１０ｍｍまで拡大した。また、孔は支柱２の根元部分に近い高さ（例えば根元から２５ｍｍ）において支柱２の側面に開けられる。
【００３７】
次いで、注入ポンプ又は注射器のようなディスペンサーによって、孔を通して支柱２内部に充填剤３が孔の高さまで注入される。充填剤３は、流動性に優れたエポキシグラウト材（樹脂モルタル）である。支柱２の内面には細長いリブ（図示せず）が設けられることが多いが、この充填剤３は、流動性に優れるので、リブの狭い空隙も充填することができる。また、充填剤３は水よりも高い比重（例えば約１．９）を有し且つ水に拡散しにくい。このため、充填剤３の注入によって、支柱２下部に滞留した水は充填剤３の上に浮き上がって孔から支柱２の外側へ排水される。また、充填剤３を注入する前にポンプによって孔を通して支柱２内部の水を排水してもよい。この場合も、補修後に再び支柱２の下部に水が滞留することを防ぎ且つ支柱２の下部のコンクリート部分の腐食によるひび割れを埋めるべく、排水後には充填剤３が孔の高さまで注入される。なお、充填剤３は約１日で自然硬化する。
【００３８】
充填剤３の注入後、支柱孔用キャップ１が孔に装着される。最初に、テープ４を使用しない場合について説明する。この場合、第１の面８のリブ７が配置されない部分９が孔の下に位置するように挿入体６を孔に挿入して、リブ７を支柱２の側面に突き当てる。
【００３９】
次いで、テープ４を使用する場合について説明する。テープ４は片面テープ又は両面テープである。この場合、装着前に、支柱孔用キャップ１の第１の面８にテープ４の一方の面をリブ７に沿って貼り付ける。その後、第１の面８のリブ７及びテープ４が配置されない部分が孔の下に位置するように挿入体６を孔に挿入して、テープ４を支柱２の側面に接着させる。なお、リブ７の上面にテープ４の一方の面をリブ７に沿って貼り付けてもよい。また、テープ４として片面テープを用いて片面テープの非粘着面を第１の面８若しくはリブ７又は支柱２の側面に貼り付ける場合、接着材を用いることができる。
【符号の説明】
【００４０】
１    支柱孔用キャップ
２    支柱
３    充填剤
４    テープ
５    本体
６    挿入体
７    リブ
８    第１の面
９    リブが配置されない部分
【図１】
2014095177.tif 000003
【図２】
2014095177.tif 000004
【図３】
2014095177.tif 000005